(57)【要約】【課題】紙幣とＩＣカードとを共に受け付け可能で、かつ、ＩＣカードへ積み増し可能な自動販売機の金銭授受装置を提供する。【解決手段】紙幣処理装置２とＩＣカードリーダライタ３とを一体化し、双方を電気的に接続する。これにより、自動販売機における商品購入時に、紙幣とＩＣカードとを共に受け付けることができる。さらに、紙幣処理装置２とＩＣカードリーダライタ３とを自動販売機の制御部を介して電気的に接続することにより、自動販売機で、ＩＣカードが有する金額情報を、投入された紙幣の金額分だけ積み増しすることを、積み増し処理用の別の装置を設けることなく行うことが可能になる。【選択図】      図１
2011044176.tif 000002
【特許請求の範囲】
【請求項１】
紙幣および金額情報が記録されたＩＣカードによる金銭の授受を行う自動販売機の金銭授受装置であって、前記紙幣を鑑別して収納する紙幣処理装置と、前記ＩＣカードに記録されている前記金額情報を記録再生処理するＩＣカードリーダライタとが一体化されていて、かつ、自動販売機の制御部を介して電気的に接続されるようにしたことを特徴とする自動販売機の金銭授受装置。
【請求項２】
前記紙幣処理装置により前記紙幣を鑑別して収納する紙幣処理モードと、前記ＩＣカードリーダライタにより前記金額情報を記録再生処理するＩＣカード処理モードと、前記紙幣処理装置と前記ＩＣカードリーダライタとにより前記金額情報を積み増し処理するＩＣカード積み増し処理モードと、を切り替え可能なスイッチを有することを特徴とする請求項１記載の自動販売機の金銭授受装置。
【発明の詳細な説明】
【技術分野】
【０００１】
本発明は自動販売機の金銭授受装置に関し、特に商品購入時に、金銭の授受、および、ＩＣカードに記録された金額情報の記録再生処理を行う自動販売機の金銭授受装置に関する。
【背景技術】
【０００２】
従来の自動販売機には、商品購入の際に金銭の授受を行う装置として、硬貨を扱う硬貨処理装置と、紙幣を扱う紙幣処理装置とが搭載されている。さらに、この紙幣処理装置に替えて、利用者の利用可能な金額情報が記録されているＩＣカードによって支払いを行うＩＣカードリーダライタが搭載されている自動販売機も出てきている。
そして、近年では、顧客側での利便性、店舗側での販売チャンス獲得という点から、ひとつの自動販売機に紙幣処理装置とＩＣカードリーダライタとを共に搭載することが要求されてきている。しかし、自動販売機の内部には空きスペースがほとんどなく、硬貨処理装置、紙幣処理装置に加え、ＩＣカードリーダライタを搭載しようとすると、商品収容スペースが狭くなってしまう。
【０００３】
これについて特開平１１−３２８３１９号公報（特許文献１）では、従来の自動販売機に搭載されている紙幣処理装置の紙幣投入口の配置面側に、ＩＣカードに対して情報を記録再生処理するカードリーダライタ手段の設けられた着脱可能なカバーを装着する方法が提案されている。この提案によれば、自動販売機の内部にＩＣカードリーダライタを搭載することなく、カードリーダライタ手段の設けられたカバーを自動販売機の外部に装着することにより、従来の自動販売機に、ＩＣカードに対する情報の記録再生処理機能が付加されるようになる。
【先行技術文献】
【特許文献】
【０００４】
【特許文献１】特開平１１−３２８３１９号公報
【発明の概要】
【発明が解決しようとする課題】
【０００５】
しかしながら、このように従来の自動販売機にＩＣカードの記録再生処理機能を付加する場合には、商品収容スペース確保の点から、自動販売機の外部に、ＩＣカードへの記録再生処理機能を有する装置、すなわちＩＣカードリーダライタを新たに配置するため、自動販売機自体の寸法が大きくなり、特に商品購入時に紙幣やＩＣカードを挿入する部分が、紙幣処理装置および硬貨処理装置のみが搭載されている場合に比べて、自動販売機本体から突出するという問題点があった。
【０００６】
この自動販売機からの突出部分は、商品補充作業時に邪魔になったり、あるいは、ＩＣカードリーダライタの破損や盗難に遭いやすくなったりする可能性がある。
また、近年では、ＩＣカードに記録されている金額情報を積み増しして、１枚のＩＣカードを繰り返し使用することが行われている。従来の自動販売機では、もともと紙幣を扱う紙幣処理装置が搭載されている自動販売機に、あとからＩＣカードを扱うＩＣカードリーダライタを付加するため、ＩＣカードの積み増しを行うために、さらに別の装置を自動販売機に設けなければならず、さらに装置の大型化や商品収容スペースの減少などが生じる。
【０００７】
本発明はこのような点に鑑みてなされたものであり、紙幣処理装置とＩＣカードリーダライタとが一体化されて、小型で、かつ、ＩＣカードへ積み増し可能な自動販売機の金銭授受装置を提供することを目的とする。
【課題を解決するための手段】
【０００８】
上記問題を解決するために、請求項１に係る発明は、紙幣および金額情報が記録されたＩＣカードによる金銭の授受を行う自動販売機の金銭授受装置であって、紙幣を鑑別して収納する紙幣処理装置と、ＩＣカードに記録されている金額情報を記録再生処理するＩＣカードリーダライタとが一体化されていて、かつ、自動販売機の制御部を介して電気的に接続されるようにしたものである。
【０００９】
また、請求項２に係る発明は、請求項1に記載の自動販売機の金銭授受装置において、前記紙幣処理装置により前記紙幣を鑑別して収納する紙幣処理モードと、前記ＩＣカードリーダライタにより前記金額情報を記録再生処理するＩＣカード処理モードと、前記紙幣処理装置と前記ＩＣカードリーダライタとにより前記金額情報を積み増し処理するＩＣカード積み増し処理モードと、を切り替え可能なスイッチを有するものである。
【００１０】
このような自動販売機の金銭授受装置によれば、紙幣処理装置とＩＣカードリーダライタとが、一体化されているので、自動販売機における商品購入時に、その商品の金額を受け取る手段として、紙幣とＩＣカードとを両方受け付けることができるようになる。
【００１１】
また、紙幣処理装置とＩＣカードリーダライタとが、一体化され、さらに自動販売機の制御部を介して電気的に接続されることにより、双方が協働して動作することが可能になり、自動販売機で、ＩＣカードが有する金額情報を、投入された紙幣の金額分だけ積み増しすることを、積み増し処理用の別の装置を設けることなく行うことができる。
【発明の効果】
【００１２】
以上説明したように、本発明では、紙幣処理装置とＩＣカードリーダライタとが一体化されているので、自動販売機における商品購入時に、その商品の金額を受け取る手段として、紙幣とＩＣカードとを両方受け付けることができるから、顧客側での利便性、店舗側での販売チャンス獲得という点を向上させることができる。
また、自動販売機で、ＩＣカードが有する金額情報を、投入された紙幣の金額分だけ積み増しすることを、積み増し処理用の別の装置を設けることなく行うことができるから、小型で、かつ、ＩＣカードへ積み増し可能な自動販売機の金銭授受装置を提供することができる。
【図面の簡単な説明】
【００１３】
【図１】金銭授受装置の側断面図である。
【図２】本発明の実施の形態に係る金銭授受装置を搭載した自動販売機の外観斜視図である。
【図３】金銭授受装置の正面図である。
【図４】金銭授受装置の基板類固定状態の説明図である。
【発明を実施するための形態】
【００１４】
以下、本発明の実施の形態を図面を参照して説明する。
図２は本発明の実施の形態に係る金銭授受装置を搭載した自動販売機の外観斜視図である。
【００１５】
自動販売機３０は、その正面側に、商品選択ボタン３１を備える自動販売機扉３２を有し、この自動販売機扉３２に金銭授受装置１が取り付けられている。また、自動販売機扉３２には、硬貨投入口３３が設けられていて、この奥に図示しない硬貨処理装置が配置される。
【００１６】
金銭授受装置１は、紙幣が投入される紙幣投入口９および近づけられたＩＣカードと通信して情報を記録再生処理するアンテナ部１４を有しており、自動販売機３０は、硬貨、紙幣、ＩＣカードを受け付け可能に構成されている。
【００１７】
この金銭授受装置１が取り付けられるスペースは、従来の自動販売機の紙幣処理装置が配置されるスペースであって、本形態の金銭授受装置１は、これに置き換えて取り付けられるようになっている。
【００１８】
図１は金銭授受装置の側断面図、図３は正面図である。ただし、図３では、金銭授受装置内部の基板類も示している。
金銭授受装置１は、投入された紙幣の鑑別および収納を行う紙幣処理装置２と、ＩＣカードに対して情報を記録再生処理するＩＣカードリーダライタ３とから構成されている。この金銭授受装置１には自動販売機取付部４が設けられていて、図２に示した自動販売機扉３２に取り付けられるようになっている。自動販売機扉３２に取り付けられる金銭授受装置１の一方の側、すなわち、自動販売機取付部４から図中右側は、図２に示した自動販売機３０の内部に収納され、他方の側、すなわち自動販売機取付部４から図中左側は、自動販売機３０の外部に露出する。
【００１９】
この自動販売機３０の外部に露出する部分には、金銭授受装置１を操作する操作部が設けられていて、操作部は、紙幣処理装置２についての操作が行われる紙幣処理装置操作部５と、ＩＣカードリーダライタ３についての操作が行われるＩＣカードリーダライタ操作部６とから成る。
【００２０】
紙幣処理装置操作部５、ＩＣカードリーダライタ操作部６には、それぞれ紙幣処理装置操作部ケース７、ＩＣカードリーダライタ操作部ケース８が設けられていて、紙幣処理装置２およびＩＣカードリーダライタ３が外部から保護されるようになっている。このうち、紙幣処理装置操作部ケース７は、紙幣処理装置２が紙幣を取り扱うことから、防犯のために金属で形成される。また、ＩＣカードリーダライタ操作部ケース８は、ＩＣカードの記録再生処理時に発生する信号に影響を与えないようにプラスチックで形成される。なお、この紙幣処理装置操作部ケース７とＩＣカードリーダライタ操作部ケース８とは、それぞれの材料で形成された後、組み合わされて、一体で形成された構成としてもよい。
【００２１】
金銭授受装置１の紙幣処理装置２は、紙幣が投入される紙幣投入口９、投入された紙幣が整列収納される紙幣収納庫１０を有しており、この紙幣投入口９と紙幣収納庫１０との間には、図示しない搬送ローラによって紙幣を搬送する紙幣搬送路１１が設けられている。紙幣搬送路１１は、紙幣投入口９から、金銭授受装置１が自動販売機３０に設置された状態での水平方向に伸びた後、さらに下方に伸びて配置されている。そして、紙幣搬送路１１の終端に紙幣収納庫１０が配置される。この紙幣搬送路１１では、駆動モータ１２が搬送ローラを回転駆動することにより紙幣を搬送するようになっている。さらに、紙幣搬送路１１の途中には、紙幣投入口９から投入された紙幣の真贋を判定する鑑別センサ１３が配置されている。
【００２２】
金銭授受装置１のＩＣカードリーダライタ３は、アンテナ部１４に、ＩＣカードと通信することによりＩＣカードに対して情報を記録再生処理するアンテナ基板１４ａを有している。アンテナ部１４は、紙幣投入口９の金銭授受装置１が自動販売機３０に設置された状態での下方に配置されており、アンテナ基板１４ａは、ＩＣカードリーダライタ操作部ケース８の内面近傍に配置されている。また、アンテナ基板１４ａには、これを貫通する穴が設けられている。
【００２３】
アンテナ基板１４ａの金銭授受装置１の収納側には、スイッチ１５ａと、金額などの情報をＬＥＤ（Light Emitting Diode）によって点灯表示する表示部１５ｂとを備えるスイッチＬＥＤ基板１５が、アンテナ基板１４ａに対向して配置されている。このスイッチ１５ａにより、金銭授受装置１を、投入された紙幣を鑑別して収納する紙幣処理モード、ＩＣカードに記録されている金額情報を記録再生処理するＩＣカード処理モード、ＩＣカードの金額情報を積み増し処理するＩＣカード積み増し処理モードが切り替えられるようになっている。また、スイッチ１５ａは、スイッチＬＥＤ基板１５上において、アンテナ基板１４ａを貫通する穴に対応する位置に配置されていて、その穴を貫通して、ＩＣカードリーダライタ操作部ケース８まで到達するようになっている。
【００２４】
表示部１５ｂの金銭授受装置１の外部露出側には、表示部１５ｂの保護および金銭授受装置１の内部隠蔽のため、有色透明の表示部カバー１６が設けられている。
また、ＩＣカードリーダライタ操作部ケース８の表面には、ＩＣカードリーダライタ操作部６を保護するとともに、スイッチ表示の情報を提供する銘板１７が貼り付けられている。
【００２５】
スイッチＬＥＤ基板１５のさらに金銭授受装置１の収納側には、遮蔽板１８が設けられていて、遮蔽板１８とアンテナ基板１４ａとの間に電磁気的な閉空間が形成されるようになっている。この遮蔽板１８は、金銭授受装置１が自動販売機取付部４を介して、図２に示した自動販売機扉３２に取り付けられた際に、自動販売機３０の内部にまで収納されない位置に配置されていて、周りの金属がアンテナ信号に影響を与えないようにしている。
【００２６】
スイッチＬＥＤ基板１５、遮蔽板１８は、ＩＣカードリーダライタ操作部ケース８に設けられた上ボス２２、下ボス２３によってそれぞれ固定されており、さらに、スイッチＬＥＤ基板１５と遮蔽板１８とは、接合ボス２４によって接合されている。
【００２７】
金銭授受装置１の外部露出側の内部には、紙幣処理装置２の紙幣収納庫１０に対向して制御基板１９が配置されていて、ＩＣカードとの間で送受信される信号を処理する制御部が構成されており、制御基板１９には、アンテナ基板１４ａおよびスイッチＬＥＤ基板１５が電気的に接続されている。さらに、制御基板１９はケーブル２０を備え、このケーブル２０を介して自動販売機３０の図示しない制御部と接続されるようになっている。この制御基板１９の金銭授受装置１の収納側には、制御基板１９を覆って基板カバー２１が設けられていて、制御基板１９が保護されている。
【００２８】
また、自動販売機３０の制御部には、紙幣処理装置２の図示しない制御部も電気的に接続されており、したがって、紙幣処理装置２とＩＣカードリーダライタ３とが、自動販売機３０の制御部を介して電気的に接続されている。
【００２９】
図４は金銭授受装置の基板類固定状態の説明図である。
図４では金銭授受装置１のＩＣカードリーダライタ操作部６のみ示しており、したがって、図中上方に図１および図３に示した紙幣処理装置操作部５が配置される。
【００３０】
ＩＣカードリーダライタ操作部ケース８の内面近傍には、アンテナ基板１４ａが配置され、このアンテナ基板１４ａから金銭授受装置１の収納側に向かって、スイッチＬＥＤ基板１５、遮蔽板１８が順に配置されている。
【００３１】
スイッチＬＥＤ基板１５は、アンテナ基板１４ａから紙幣処理装置操作部５方向に外れた位置でＩＣカードリーダライタ操作部ケース８に突設された上ボス２２により、ＩＣカードリーダライタ操作部ケース８に固定されている。また、遮蔽板１８は、アンテナ基板１４ａから金銭授受装置１の収納側に外れた位置でＩＣカードリーダライタ操作部ケース８に突設された下ボス２３により、ＩＣカードリーダライタ操作部ケース８に固定されている。そして、スイッチＬＥＤ基板１５と遮蔽板１８とは、接合ボス２４により固定されている。
【００３２】
上記構成の金銭授受装置１によれば、紙幣処理装置２とＩＣカードリーダライタ３とが一体化されているので、商品購入時、金銭授受装置１が、紙幣およびＩＣカードを両方受け付けることができる。
【００３３】
さらに、金銭授受装置１の紙幣処理装置２が、自動販売機３０の制御部およびＩＣカードリーダライタ３の制御基板１９を介して、ＩＣカードリーダライタ３と電気的に接続され、紙幣処理装置２とＩＣカードリーダライタ３とが協働して動作することが可能になり、ＩＣカードに記録されている金額を、投入された紙幣の金額分だけ積み増しする積み増し処理を、積み増し処理用の別の装置を設けることなく行うことができる。
【００３４】
また、本形態の金銭授受装置１において、紙幣処理装置２の構成部品の配置を従来と変え、新たにできた空間を活用してＩＣカードリーダライタ３の構成部品を配置することにより、金銭授受装置１が、従来の紙幣処理装置と同等の寸法で構成される。したがって、すでに自動販売機に搭載されている紙幣処理装置に、本形態の金銭授受装置１を置き換えて組み込むことができる。
【００３５】
次に、上記構成の金銭授受装置１における商品購入時の動作処理について説明する。
まず、紙幣による商品購入時の動作処理について説明する。
金銭授受装置１は、通常、紙幣処理モードに設定されている。紙幣投入口９から紙幣が投入されると、金銭授受装置１は、駆動モータ１２によって搬送ローラを回転させ、紙幣は、紙幣搬送路１１を搬送される。この紙幣は、紙幣搬送路１１の途中に配置された鑑別センサ１３により、その真贋が判定され、真札と判定されなかった場合には、金銭授受装置１は、駆動モータ１２を逆転動作し、その紙幣を紙幣投入口９に戻して排出する。金銭授受装置１が、鑑別センサ１３により、投入された紙幣を真札と判定すると、投入された紙幣をさらに搬送して紙幣収納庫１０に整列収納する。そして、自動販売機３０は、商品選択ボタン３１を点灯し、商品選択ボタン３１が押されると、押された商品選択ボタン３１に対応する商品を搬出し、必要に応じて釣銭を出金して売買を終了する。
【００３６】
次に、ＩＣカードによる商品購入時の動作処理について説明する。
最初に、所定のスイッチ１５ａが押されることにより、金銭授受装置１がＩＣカード処理モードに変更される。すると、自動販売機３０は、商品選択ボタン３１をすべて点灯する。次いで、商品選択ボタン３１が押された後、ＩＣカードが、アンテナ部１４のアンテナ基板１４ａに、ＩＣカードリーダライタ操作部ケース８を隔てて近づけられると、金銭授受装置１は、制御基板１９から成る制御部によって、受信した信号と商品金額とから、そのＩＣカードに記録されている金額情報の減算を行う。自動販売機３０は、押された商品選択ボタン３１に対応する商品を搬出して売買を終了する。
【００３７】
ここで、商品選択ボタン３１が押される動作、および商品選択ボタン３１が押された後ＩＣカードがアンテナ部１４に近づけられる動作が、それぞれ一定時間内に行われない場合には、金銭授受装置１は初期状態に戻るようになっている。
【００３８】
また、本形態の金銭授受装置１は、ＩＣカードの金額情報を積み増し処理することができる。
この場合、まず、所定のスイッチ１５ａが押されることにより、金銭授受装置１がＩＣカード積み増し処理モードに変更される。そして、積み増しされる金額分の紙幣が紙幣投入口９から投入され、ＩＣカードが、アンテナ部１４のアンテナ基板１４ａに、ＩＣカードリーダライタ操作部ケース８を隔てて近づけられると、金銭授受装置１は、そのＩＣカードに、投入された紙幣の金額を、そのＩＣカードにもともと記録されていた金額に積み増し、ＩＣカードの金額情報を更新する。
【００３９】
ここで、紙幣が紙幣投入口９に投入された後、ＩＣカードがアンテナ部１４に近づけられる動作が行われなかった場合、あるいはアンテナ部１４に近づけられる動作が一定時間内に行われなかった場合には、金銭授受装置１は投入された紙幣を紙幣投入口９に戻す。
【００４０】
また、紙幣が紙幣投入口９に投入された後、ＩＣカードがアンテナ部１４に近づけられる動作が行われなかった場合、あるいはアンテナ部１４に近づけられる動作が一定時間内に行われなかった場合に、紙幣を紙幣投入口９に戻さず、投入後、そのまま紙幣収納庫１０に収納してしまう構成としてもよい。この場合には、金額情報のほか、ＩＣカードの利用者を識別する個人情報も記録されたＩＣカードが用いられ、動作手順としては、紙幣の投入前に、ＩＣカードをアンテナ部１４に近づけるようにすればよい。これにより、ＩＣカードの積み増し処理に失敗した利用者の記録が残るため、紙幣収納庫１０に収納した紙幣を返金する際のトラブルの発生が防止される。
【符号の説明】
【００４１】
１  金銭授受装置
２  紙幣処理装置
３  ＩＣカードリーダライタ
４  自動販売機取付部
５  紙幣処理装置操作部
６  ＩＣカードリーダライタ操作部
７  紙幣処理装置操作部ケース
８  ＩＣカードリーダライタ操作部ケース
９  紙幣投入口
１０  紙幣収納庫
１１  紙幣搬送路
１２  駆動モータ
１３  鑑別センサ
１４  アンテナ部
１４ａ  アンテナ基板
１５  スイッチＬＥＤ基板
１５ａ  スイッチ
１５ｂ  表示部
１６  表示部カバー
１７  銘板
１８  遮蔽板
１９  制御基板
２０  ケーブル
２１  基板カバー
【図１】
2011044176.tif 000003
【図２】
2011044176.tif 000004
【図３】
2011044176.tif 000005
【図４】
2011044176.tif 000006